(57)【要約】【課題】車両の窓開閉調節器やサンルーフなどの駆動に使用されるギヤードモータであって、組立てしやすく構成部品が構成され、かつ簡素化されたギヤードモータとその組立て方法とを提供する。【解決手段】ギヤードモータはその作動を制御する制御盤と、該盤をギヤードモータに電気接触させてロックするブラシホルダとを含む。例えば、整流子と摩擦接触するブラシを支持するアームを備えたブラシホルダが制御盤と共にハウジングに設けられたくぼみにロータに沿って挿入されることによってブラシホルダと盤と同時に容易にしっかりとギヤードモータにロックして、迅速かつ容易に組立てる方法によって組立てコストを低減する。【選択図】図２
2006115689.tif 000002
【特許請求の範囲】
【請求項１】
ロータ（１４）と、
ギヤードモータの作動を制御する盤（２２）と、
前記盤と電気的に接触するブラシホルダ（２０）であって、ギヤードモータ（１０）内で前記盤（２２）をロックするブラシホルダと、を含み、前記盤とブラシホルダとが前記ロータの軸線方向に挿入されるようにされていることを特徴とするギヤードモータ。
【請求項２】
前記ブラシホルダ（２０）がギヤードモータ内での前記盤（２２）の移動を阻止することを特徴とする請求項１に記載のギヤードモータ。
【請求項３】
前記ブラシホルダ（２０）が前記ロータ（１４）に沿った前記盤（２２）の移動を阻止することを特徴とする請求項１または２に記載のギヤードモータ。
【請求項４】
ブラシ（１８）も含み、前記ブラシホルダ（２０）が前記ロータ（１４）に対して直径方向に対向している前記ブラシ（１８）を支持する２個のアームを含むことを特徴とする請求項１から３までのいずれか１項に記載のギヤードモータ。
【請求項５】
前記ブラシホルダ（２０）が前記アーム（２６，２８）を介して前記盤（２２）と電気的に接触していることを特徴とする請求項４に記載のギヤードモータ。
【請求項６】
ハウジング（１３）を含み、前記ブラシホルダ（２０）が前記ハウジング（１３）に対して前記盤（２２）を押圧していることを特徴とする請求項１から５までのいずれか１項に記載のギヤードモータ。
【請求項７】
請求項１から６までのいずれか１項に記載のギヤードモータを組み立てる方法において、
ロータの方向に前記盤（２２）とブラシホルダ（２０）とを前記ギヤードモータ中へ挿入する段階と、
前記ブラシホルダ（２０）をロックし、前記ブラシホルダ（２０）と前記盤とを電気的に接触させる段階と、を含むことを特徴とするギヤードモータを組み立てる方法。
【請求項８】
前記ギヤードモータがロータ（１４）を含み、前記盤および前記ブラシホルダが前記ロータ（１４）に沿って挿入されることを特徴とする請求項７に記載の方法。
【請求項９】
前記ギヤードモータが減速機とハウジングとを含み、前記減速機が前記ハウジング内にあり、前記盤と前記ブラシホルダとが前記ハウジング中へ挿入されることを特徴とする請求項７または８に記載の方法。
【請求項１０】
前記ブラシホルダが力を加えて前記ハウジング中へ挿入されることを特徴とする請求項９に記載の方法。
【発明の詳細な説明】
【技術分野】
【０００１】
本発明はギヤードモータおよぴギヤードモータを組み立てる方法に関するものである。
【背景技術】
【０００２】
車両には窓調節装置とか、あるいはサンルーフのような装置を具備させることができる。このような装置は特にギヤードモータによって電気的に作動させることができる。ギヤードモータの方は通気装置を駆動するためにそれに連結されている減速機を駆動するモータを含みうる。モータのコイルはブラシを介して供給電流を受電する整流子によって給電される。ブラシはギヤードモータに対して固定されており、モータによって回転駆動される整流子と電気的な摩擦接触をしている。更に、ギヤードモータにはモータの作動を制御する制御盤を設けることができる。従って、ギヤードモータは複数の構成要素からなり、このため前記要素を組み立てる上で問題が生じる。
【発明の開示】
【発明が解決しようとする課題】
【０００３】
このため、本発明はギヤードモータを制御する制御盤と、前記制御盤と電気的に接触しているブラシホルダとを含むギヤードモータであって、前記ブラシホルダが前記制御盤をギヤードモータにロックしているギヤードモータを提供する。
【課題を解決するための手段】
【０００４】
本発明の一変形によると、ブラシホルダはギヤードモータにおいて制御盤が移動するのを阻止する。
【０００５】
本発明の一変形によると、ギヤードモータはロータを含み、ブラシホルダが前記ロータに沿った制御盤の移動を阻止する。
【０００６】
本発明の一変形によると、ギヤードモータはまた、ロータとブラシとを含み、ブラシホルダは前記ロータに対して直径方向に対向しているブラシを支持する２個のアームを含んでいる。
【０００７】
本発明の一変形によると、ブラシホルダは前記アームを介して制御盤と電気的に接触している。
【０００８】
本発明の一変形によると、ギヤードモータはハウジングを含み、前記ブラシホルダが制御盤を前記ハウジングに対して押圧している。
【０００９】
本発明はまた、前述したようにギヤードモータを組み立てる方法であって、
−  制御盤とブラシホルダとをギヤードモータに挿入する段階と、
−  前記ブラシホルダをロックし、前記ブラシホルダと制御盤とを電気的に接触させる段階とを含むギヤードモータを組み立てる方法にも関するものである。
【００１０】
本発明の一変形によると、ギヤードモータはロータスロットを含み、前記制御盤とブラシホルダとが前記ロータスロットに沿って挿入される。
【００１１】
本発明の一変形によると、ギヤードモータは減速機とハウジングとを含み、前記減速機は前記ハウジング内にあり、前記制御盤とブラシホルダとが前記ハウジングに挿入される。
【００１２】
本発明の一変形によると、ブラシホルダは力を加えて前記ハウジングに挿入される。
【００１３】
本発明のその他の特徴および利点は例のみとして提供された本発明の実施例についての以下の詳細説明を読み、かつ添付図面を参照することによって明らかとなる。
【実施例】
【００１４】
本発明はギヤードモータを制御する盤とブラシホルダとを含むギヤードモータに関し、ブラシホルダが前記盤と電気的に接触し、ギヤードモータ内で前記盤をロックする。このことによってギヤードモータの組立てをし易くし、従って組立てコストを低減する。
【００１５】
図１はギヤードモータ１０の縦断面図である。ギヤードモータ１０はモータ１２とハウジング１３とを含み、モータはハウジング１３に固定されている。モータ１２はステータ９と、回転軸（図には軸のみが示されている）上のコイルを含むロータ１４とを含む。ロータ１４自体は、（ロータ上の）ウオームと歯車とから構成されている、図示していない減速機を駆動する。減速機はハウジング１３内に位置する。ロータ１４のコイルは、ロータ１４と一体の整流子１６によって、および供給電流をモータに伝送するブラシ１８によって給電される。ブラシ１８は、整流子が回転している間でさえも供給電流を整流子１６に伝送することができる。ブラシ１８はブラシホルダ２０を使用してギヤードモータに保持されている。ブラシホルダ２０はブラシ１８が整流子１６に対向して保持され、かつ位置されうるようにし、ブラシ１８は整流子１６に対して直径方向に対向している。モータは、ロータ１４を導入するための開口を含むハウジング１３の境界面８に固定されている。
【００１６】
ギヤードモータ１０はまた、ギヤードモータの作動を制御するための盤２２を含む。例えば、前記盤はモータの始動、その回転方向の反転、あるいはその停止を制御する。前記盤はプリント回路タイプである。ブラシホルダ２０は前記盤２２に電気的に接続されており、従って盤はブラシホルダ２０に向かっての電流の通過を制御することができる。更に、ブラシホルダ２０はギヤードモータ内で盤２２をロックするので、それによって別の制御盤用ロック要素を不要とする。このように、ブラシホルダ２０を挿入することによってブラシホルダの位置決めと盤２２の固定とを同時にできるようにするという点でギヤードモータの組立てをし易くする。
【００１７】
盤２２はハウジング１３内でギヤードモータに位置している。このように、盤を取り付けるための余分のくぼみを使用しなくてよく、その結果ギヤードモータはよりコンパクトとされる。従って、ギヤードモータの容積が低減する。更に、盤のための外部くぼみを排除することによって製造コストを低減させる。例えば、ハウジング１３は盤２２がその中へ挿入される溝を含みうる。盤２２とは別個の要素であるブラシホルダ２０は、このように特に溝における盤２２の移動を阻止することができる。
【００１８】
盤２２は（盤の最大寸法に亘って）ロータ１４に対して平行に延在することが可能であり、ブラシホルダ２０はロータ１４に沿った盤２２の移動を阻止する。このことはモータ１４と盤２２とは同じ軸線に沿って挿入可能であり、盤２２はこの軸線に沿ってブラシホルダ２０によって簡単に固定されるからギヤードモータの組立てに対して有利である。
【００１９】
図２はギヤードモータ１０の横断面図を示す。ロータ１４、盤２２およびブラシ１８を保持しているブラシホルダ２０が断面で示されている。ブラシ１８は整流子１６の高さに保持されている。ブラシホルダ２０はプレート２４と、ブラシ１８を支持しているアーム２６，２８（図３参照）とを含む。プレート２４は、特に盤２２がロータ１４に沿ってハウジング内に挿入される場合、盤２２をロックすることができる。アームは整流子１６の高さにブラシ１８を位置させることができる寸法および形状のものが選択される。
【００２０】
ブラシホルダ２０によって盤２２をロックすることはブラシホルダ２０が盤２２をハウジング１３に対して押し付けることによって達成される。例えば、ブラシホルダ２０は盤の受け入れ溝（これらの溝はハウジング１３の突起部２５に沿ってハウジングに位置している）中へ力を加えてブラシホルダ２０を導入することによって盤２２の移動を阻止することができる。このように、盤２２はハウジング１３の開口部においてハウジング１３の底とブラシホルダ２０との間でロックされる。代替的に、ブラシホルダ２０は図２において上方にロータ１４に対して横方向にハウジング１３に対して盤２２を押し付けることができる。盤２２におけるハウジングの境界面８での盤２２受け入れ溝の開口は空洞中へ盤２２に対して横方向に広げることができる。ブラシホルダ２０は空洞内で、ロータ１４と盤２２との間で少なくとも部分的に収納することができる。図２において、ブラシホルダ２０は少なくとも部分的に盤２２の下方にあり、盤をハウジング１３に対して押圧している。
【００２１】
更に、盤のロッキングの頑丈さを改良するために、空洞中へ突出しているタブ２３をハウジング１３に設けることができる。タブ２３は弾力的にブラシホルダ２０を盤２２に対して押圧し、従って盤２２をハウジング１３に対して押圧する。
【００２２】
更に、盤２２とロータ１４との間にブラシホルダ２０が存在することによって、図３に関して以下説明するように、電気的接触を容易に達成することができる。
【００２３】
図３はブラシホルダ２０の図面を示す。ブラシホルダ２０はそこからアーム２６，２８が延在するプレート２４を含む。整流子の高さにブラシ１８が保持できるようにするブラシホルダ２０はロータ１４よりも大きな直径を有しているので、ブラシホルダ２０は整流子が回転しうるようにするくぼみ３０を含みうる。このことは、ブラシホルダ２０に起因するギヤードモータの嵩高さを排除することができることを意味する。
【００２４】
アーム２６，２８はプレート２４の各側を延在する。前記アームはブラシ１８を保持するためにプレート２４の一方の側２４ａから突出している。アーム２６，２８はプレート２４に対して横方向に延在している。アームはまた、制御盤２２との接触が可能となるようにプレート２４の他方の側２４ｂからも突出する。
【００２５】
ブラシホルダの電気的接触は以下の方法で達成することができる。プレート２４の側２４ｂにおいて、アーム２６，２８がプレート２４に対して押圧される。こうして、アーム２６，２８が導体３４，３６を形成し、それらが盤２２との接触を達成することができる。図２に関して、ブラシホルダ２０は盤２２とロータ１４との間にあり、導体３４，３６は、それ自体電気接触面を有する盤２２に対して押される。ハウジングのタブ２３によって盤２２に対してブラシホルダ２０を押圧することが電気的接触を確実なものとする。
【００２６】
図４はブラシホルダ２０の側面図を示す。断面で示すプレート２４と、該プレート２４から延在しているアームの中の１個２８と、導体３６およびブラシホルダ２０によって保持されているブラシ１８とが示されている。アーム２８はブラシ１８をロータに沿って整流子に向かって押すようにＬ字形とされている。アーム２８の形状は図４に示すものに限定されるのではなく、ギヤードモータにおいて利用しうる空間および整流子１６に相対して盤２２をロックするブラシホルダ２０の位置に対して適当なものとされる。前記アームはまた、変形することによってブラシ１８が整流子１６に対して弾力的に押圧できるようにする。このことは長期に亘って使用した後であっても、整流子とブラシとの間での良好な電気的接触を保証する。
【００２７】
更に、そのようなギヤードモータは組立て方法の主体でもありうる。ギヤードモータは回転ロータを備えたモータと、該モータが固定され、その中を延在するハウジングと、並びに前記ハウジングに位置する減速機であって、前記ロータによって駆動される減速機とを含みうる。
【００２８】
モータとそのロータとをハウジング内で組み立てる前に、本方法はギヤードモータ内で制御盤とブラシホルダとを組み立てることを提案している。本方法はギヤードモータ中へ制御盤を挿入する段階と、ブラシホルダを挿入する段階とを含む。特に、制御盤とブラシホルダとはロータに沿ってハウジング中へ挿入される。ロータの挿入方向に制御盤とブラシホルダとを挿入することはこれらの要素に対してハウジングに単に１個の共通の開口を設ければよく、ハウジングの構造を簡素化する。
【００２９】
次に、本方法はブラシホルダ２０をロックし、盤２２とブラシホルダ２０との間で電気的接触をさせる段階を含む。このように、盤とブラシホルダとの組立ては簡単、かつ迅速であり、なんら別の作業を必要とはしない。ギヤードモータにブラシホルダをロックすることは、例えばこの目的に対して設けた空洞中に特にブラシホルダ２０を位置させて、盤２２をハウジング１３に対して押し込むことによって実施される。ブラシホルダは力を加えてハウジング中へ都合よく挿入されるが、これによってハウジング１３内での盤２２のロックおよび盤２２とブラシホルダ２０との電気的接触を改良する。
【００３０】
本方法はまた、ハウジング１３にロータを組み立てることも含みうる。ロータ１４は整流子１６とコイルとを支持することができ、ロータ１４はこのようにブラシホルダ２０によってロックされている盤２２に対して平行にハウジング中へ導入される。このように、固定された盤２２とブラシホルダ２０とはロータ１４の挿入を阻害しない。更に、電気的接触を確立するために整流子１６がブラシ１８の間に位置しうるようにブラシホルダ２０のアーム２６，２８は離れるように動くことができる。モータの装着はステータを収容したケーシング９をハウジング１３に対して組立て、かつ固定することによって完了する。
【００３１】
本発明は例として述べてきた実施例に限定されないことは勿論であり、ギヤードモータも車両の通気装置用駆動装置に限定されるものでない。
【図面の簡単な説明】
【００３２】
【図１】ギヤードモータの縦断面図である。
【図２】ギヤードモータの横断面図である。
【図３】ブラシホルダの図面である。
【図４】ブラシホルダの側面図である。
【符号の説明】
【００３３】
９  ステータ
１０  ギヤードモータ
１２  モータ
１３  ハウジング
１４  ロータ
１６  整流子
１８  ブラシ
２０  ブラシホルダ
２２  制御盤
２３  タブ
２４  プレート
２６，２８  アーム
３０  くぼみ
３４，３６  導体
【図１】
2006115689.tif 000003
【図２】
2006115689.tif 000004
【図３】
2006115689.tif 000005
【図４】
2006115689.tif 000006